【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
複数の記録素子を具備するサブヘッドを２つ以上つなぎ合わせた構造を有する記録ヘッドと記録媒体とを相対的に移動させ、サブヘッドごとに記録素子を所定のタイミングで駆動させて、サブヘッドごとに前記相対移動方向と略直交する方向に沿うドット列を形成するドット列形成工程と、
前記形成されたドット列の、隣接するサブヘッド間の重なり部によって形成された部分のうち、単位面積あたりのドット数で表される記録率が略同一となる範囲を被測定対象としてサブヘッドごとのドット列の前記相対移動方向における位置を測定し、前記測定された前記相対移動方向におけるサブヘッドごとのドット列の位置の差又は比で表されるサブヘッド間の段差量を求める段差量算出工程と、
前記算出された段差量に基づいて、サブヘッドごとに記録素子の駆動タイミングの調整値を算出する調整値算出工程と、
前記算出された調整値に基づいて、サブヘッドごとの相対的な駆動タイミングを調整する駆動タイミング調整工程と、
を含むことを特徴とする記録ヘッド調整方法。
【請求項２】
請求項１に記載の記録ヘッド調整方法において、
前記ドット列形成工程は、隣接するサブヘッドのうち一方のサブヘッドを用いて、前記相対移動方向と略直交方向に沿う第１のドット列を、前記相対移動方向に沿って所定の配置間隔で少なくとも２本形成し、前記一方のサブヘッドを用いて形成された２本の第１のドット列の間に、他方のサブヘッドを用いて前記相対移動方向と略直交方向に沿う第２のドット列を形成し、
前記段差量算出工程は、隣り合う前記第１のドット列と前記第２のドット列との間隔を測定した測定結果に基づいて、前記一方のサブヘッドと前記他方のサブヘッド間の段差量を算出することを特徴とする記録ヘッド調整方法。
【請求項３】
請求項１又は２に記載の記録ヘッド調整方法において、
前記ドット列形成工程は、前記重なり部を用いて形成されるドット列の中に、ドットが形成されるドット形成部とドットが欠落しているドット欠落部とが含まれるように各ドット列を形成するとともに、隣接するサブヘッドのうち一方のサブヘッドにより形成されたドット列のドット欠落部の前記相対移動方向における位置に、他方のサブヘッドにより形成されるドット列のドット形成部が対応するように、各ドットを形成することを特徴とする記録ヘッド調整方法。
【請求項４】
請求項１乃至３のいずれかに記載の記録ヘッド調整方法において、
前記段差量算出工程は、前記重なり部を用いて形成されるドット列のうち、前記相対搬送方向における中央の記録素子が含まれる中央部に属する記録素子を用いて形成された領域を被測定対象として、各サブヘッドにより形成されたドット列の前記相対移動方向における位置を測定することを特徴とする記録ヘッド調整方法。
【請求項５】
請求項１乃至３のいずれかに記載の記録ヘッド調整方法において、
前記重なり部を用いて形成されるドット列のうち、相対搬送方向における両端部の記録素子を用いて形成された領域を被測定対象が除外して、各サブヘッドにより形成されたドット列の前記相対移動方向における位置を測定することを特徴とする記録ヘッド調整方法。
【請求項６】
複数の記録素子を具備するサブヘッドを２つ以上つなぎ合わせた構造を有する記録ヘッドと記録媒体とを相対的に移動させ、サブヘッドごとに記録素子を所定のタイミングで駆動させて、サブヘッドごとに前記相対移動方向と略直交する方向に沿うドット列を形成するドット列形成工程と、
前記形成されたドット列の、前記相対搬送方向における中央の記録素子が含まれる中央部に属する記録素子を用いて形成された領域を被測定対象として、各サブヘッドにより形成されたドット列の前記相対移動方向における位置を測定し、前記測定された前記相対移動方向におけるサブヘッドごとのドット列の位置の差又は比で表されるサブヘッド間の段差量を求める段差量算出工程と、
前記算出された段差量に基づいて、サブヘッドごとに記録素子の駆動タイミングの調整値を算出する調整値算出工程と、
前記算出された調整値に基づいて、サブヘッドごとの相対的な駆動タイミングを調整する駆動タイミング調整工程と、
を含むことを特徴とする記録ヘッド調整方法。
【請求項７】
複数の記録素子を具備するサブヘッドを２つ以上つなぎ合わせた構造を有する記録ヘッドと、
記録媒体と前記記録ヘッドとを相対的に移動させ、サブヘッドごとに前記記録素子を所定のタイミングで駆動させる記録ヘッド駆動手段と、
前記相対移動方向と略直交する方向に沿うドット列をサブヘッドごとに形成するように前記記録ヘッド駆動手段を制御する駆動制御手段と、
前記形成されたドット列の、隣接するサブヘッド間の重なり部によって形成された部分のうち、単位面積あたりのドット数で表される記録率が略同一となる範囲を被測定対象としてサブヘッドごとのドット列の前記相対移動方向における位置を測定し、前記測定された前記相対移動方向におけるサブヘッドごとのドット列の位置の差で又は比で表されるサブヘッド間の段差量を求める段差量算出手段と、
前記算出された段差量に基づいて、サブヘッドごとに記録素子の駆動タイミングの調整値を算出する調整値算出手段と、
前記算出された調整値に基づいて、サブヘッドごとの相対的な駆動タイミングを調整する駆動タイミング調整手段と、
を備えたことを特徴とする画像記録装置。
【請求項８】
請求項７に記載の画像記録装置において、
前記段差量算出手段は、前記重なり部を用いて形成されたドット列のうち、前記相対搬送方向における中央の記録素子が含まれる中央部に属する記録素子を用いて形成された領域を被測定対象として、各サブヘッドにより形成されたドット列の前記相対移動方向における位置を測定することを特徴とする画像記録装置。
【請求項９】
複数の記録素子を具備するサブヘッドを２つ以上つなぎ合わせた構造を有する記録ヘッドと、
記録媒体と前記記録ヘッドとを相対的に移動させ、サブヘッドごとに前記記録素子を所定のタイミングで駆動させる記録ヘッド駆動手段と、
前記相対移動方向と略直交する方向に沿うドット列をサブヘッドごとに形成するように前記記録ヘッド駆動手段を制御する記録制御手段と、
前記形成されたドット列の、前記相対搬送方向における中央の記録素子が含まれる中央部に属する記録素子を用いて形成された領域を被測定対象として、各サブヘッドにより形成されたドット列の前記相対移動方向における位置を測定し、前記測定されたサブヘッドごとの前記相対移動方向における位置の差又は比で表されるサブヘッド間の段差量を求める段差量算出手段と、
前記算出された段差量に基づいて、各サブヘッドに属する記録素子の駆動タイミングの調整値を算出する調整値算出手段と、
前記算出された調整値に基づいて、サブヘッドごとの相対的な駆動タイミングを調整する駆動タイミング調整手段と、
を備えたことを特徴とする画像記録装置。
【請求項１０】
請求項７乃至９のいずれかに記載の画像記録装置において、
前記重なり部は、前記相対移動方向と略直交する方向に沿って並ぶように前記記録素子を投影した投影記録素子列において、隣接するサブヘッドのうち一方のサブヘッドに属する記録素子と他方のサブヘッドに属する記録素子が混在し、
各サブヘッドは端部へ近づくに従い記録素子数が減少する構造を有することを特徴とする画像記録装置。
【請求項１１】
請求項７乃至１０のいずれかに記載の画像記録装置において、
前記記録ヘッドは、前記記録媒体の前記相対移動方向と略直交する幅方向の全幅に対応する長さに対応する長さを有するフルライン型ヘッドであることを特徴する画像記録装置。
【手続補正２】
【補正対象書類名】明細書
【補正対象項目名】０００９
【補正方法】変更
【補正の内容】
【０００９】
図１１に示すように、実際に形成されたパターン３００はｉ番目のサブヘッドにより形成された横線３０２‐１と（ｉ＋１）番目のサブヘッドにより形成された横線３０４‐１との間隔Ｐ１は、（ｉ＋１）番目のサブヘッドにより形成された横線３０２‐１とｉ番目のサブヘッドにより形成された横線３０２‐２との間隔Ｐ２よりも小さくなっている。つまり、（ｉ＋１）番目のサブヘッドの記録媒体移動方向における位置は、下流側（図中上側）にずれている。このような場合は、着弾位置のズレ量に応じて（ｉ＋１）番目のサブヘッドの駆動タイミングを遅らせるように補正される。
【手続補正３】
【補正対象書類名】明細書
【補正対象項目名】００５０
【補正方法】変更
【補正の内容】
【００５０】
さらに、サブヘッド１０２Ａを用いて形成されたパターン２０２‐１及びパターン２０２‐２と、サブヘッド１０２Ｂを用いて形成されたパターン２０４‐１との間隔はＰ／２となっている。同様に、サブヘッド１０２Ａを用いて形成されたパターン２０２‐２及びパターン２０２‐３と、サブヘッド１０２Ｂを用いて形成されたパターン２０４‐２との間隔はそれぞれＰ／２である。すなわち、同一のサブヘッドにより形成されたパターン間の最小間隔はＰであり、異なるサブヘッドにより形成されたパターンとの最小間隔はＰ／２である。図７に示すチャート２００では、Ｐは６ピクセル（１２７μｍ）であり、Ｐ／２は３ピクセル（６３．５μｍ）となっている。
【手続補正４】
【補正対象書類名】明細書
【補正対象項目名】００５５
【補正方法】変更
【補正の内容】
【００５５】
そうすると、パターン２０２の打滴率が大きい部分とパターン２０４の打滴率が小さい部分が混在している領域や、パターン２０２の打滴率が小さい部分とパターン２０４の打滴率が大きい部分が混在している領域は、パターン２０２とパターン２０４との間隔が変化してしまい、測定結果に多くの誤差が含まれてしまう。したがって、パターン２０２とパターン２０４との間隔の正確な測定結果を得ることができず、この測定結果を入力値として求められる吐出タイミングの遅延時間にも誤差が生じてしまい、結果としてサブヘッド間の重なり部における段差が発生してしまう。
【手続補正５】
【補正対象書類名】明細書
【補正対象項目名】００６４
【補正方法】変更
【補正の内容】
【００６４】
また、図１３を用いて説明したノズル面の湾曲を考慮すると、パターン２０２，２０４において、被測定対象からＹ方向の端部に位置するノズル、又は−Ｙ方向の端部に位置するノズルにより形成された領域を除外するとよい。すなわち、図６（ａ）に示す−Ｙ方向の端部のノズル１０８Ｉ及び＋Ｙ方向の端部のノズル１０８Ｊにより形成された領域を被測定対象から除外することで、特に、ノズル面の＋Ｙ方向及び−Ｙ方向についての湾曲の影響を受けやすい領域（パターン２０２，２０４の直線性が悪い領域）が除外され、測定結果におけるノズル面の湾曲の影響を低減化することができる。
【手続補正６】
【補正対象書類名】明細書
【補正対象項目名】０１４５
【補正方法】変更
【補正の内容】
【０１４５】
（発明２）：発明１に記載の記録ヘッド調整方法において、前記ドット列形成工程は、隣接するサブヘッドのうち一方のサブヘッドを用いて、前記相対移動方向と略直交方向に沿う第１のドット列を、前記相対移動方向に沿って所定の配置間隔で少なくとも２本形成し、前記一方のサブヘッドを用いて形成された２本の第１のドット列の間に、他方のサブヘッドを用いて前記相対移動方向と略直交方向に沿う第２のドット列を形成し、前記段差量算出工程は、隣り合う前記第１のドット列と前記第２のドット列との間隔を測定した測定結果に基づいて、前記一方のサブヘッドと前記他方のサブヘッド間の段差量を算出することを特徴とする。
【手続補正７】
【補正対象書類名】明細書
【補正対象項目名】０１４８
【補正方法】変更
【補正の内容】
【０１４８】
（発明３）：発明１又は２に記載の記録ヘッド調整方法において、前記ドット列形成工程は、前記重なり部を用いて形成されるドット列の中に、ドットが形成されるドット形成部とドットが欠落しているドット欠落部とが含まれるように各ドット列を形成するとともに、隣接するサブヘッドのうち一方のサブヘッドにより形成されたドット列のドット欠落部の前記相対移動方向における位置に、他方のサブヘッドにより形成されるドット列のドット形成部が対応するように、各ドットを形成することを特徴とする。
【手続補正８】
【補正対象書類名】明細書
【補正対象項目名】０１５７
【補正方法】変更
【補正の内容】
【０１５７】
（発明７）：複数の記録素子を具備するサブヘッドを２つ以上つなぎ合わせた構造を有する記録ヘッドと、記録媒体と前記記録ヘッドとを相対的に移動させ、サブヘッドごとに前記記録素子を所定のタイミングで駆動させる記録ヘッド駆動手段と、前記相対移動方向と略直交する方向に沿うドット列をサブヘッドごとに形成するように前記記録ヘッド駆動手段を制御する駆動制御手段と、前記形成されたドット列の、隣接するサブヘッド間の重なり部によって形成された部分のうち、単位面積あたりのドット数で表される記録率が略同一となる範囲を被測定対象としてサブヘッドごとのドット列の前記相対移動方向における位置を測定し、前記測定された前記相対移動方向におけるサブヘッドごとのドット列の位置の差で又は比で表されるサブヘッド間の段差量を求める段差量算出手段と、前記算出された段差量に基づいて、サブヘッドごとに記録素子の駆動タイミングの調整値を算出する調整値算出手段と、前記算出された調整値に基づいて、サブヘッドごとの相対的な駆動タイミングを調整する駆動タイミング調整手段と、を備えたことを特徴とする画像記録装置。
【手続補正９】
【補正対象書類名】明細書
【補正対象項目名】０１６０
【補正方法】変更
【補正の内容】
【０１６０】
（発明９）：複数の記録素子を具備するサブヘッドを２つ以上つなぎ合わせた構造を有する記録ヘッドと、記録媒体と前記記録ヘッドとを相対的に移動させ、サブヘッドごとに前記記録素子を所定のタイミングで駆動させる記録ヘッド駆動手段と、前記相対移動方向と略直交する方向に沿うドット列をサブヘッドごとに形成するように前記記録ヘッド駆動手段を制御する記録制御手段と、前記形成されたドット列の、前記相対搬送方向における中央の記録素子が含まれる中央部に属する記録素子を用いて形成された領域を被測定対象として、各サブヘッドにより形成されたドット列の前記相対移動方向における位置を測定し、前記測定されたサブヘッドごとの前記相対移動方向における位置の差又は比で表されるサブヘッド間の段差量を求める段差量算出手段と、前記算出された段差量に基づいて、各サブヘッドに属する記録素子の駆動タイミングの調整値を算出する調整値算出手段と、前記算出された調整値に基づいて、サブヘッドごとの相対的な駆動タイミングを調整する駆動タイミング調整手段と、を備えたことを特徴とする画像記録装置。
【手続補正１０】
【補正対象書類名】明細書
【補正対象項目名】０１６１
【補正方法】変更
【補正の内容】
【０１６１】
（発明１０）：発明７乃至９のいずれかに記載の画像記録装置において、前記重なり部は、前記相対移動方向と略直交する方向に沿って並ぶように前記記録素子を投影した投影記録素子列において、隣接するサブヘッドのうち一方のサブヘッドに属する記録素子と他方のサブヘッドに属する記録素子が混在し、各サブヘッドは端部へ近づくに従い記録素子数が減少する構造を有することを特徴とする。